(57)【要約】【課題】通信相手の選択を支援する「通信端末装置」を提供する。【解決手段】通信端末装置１０の制御部４は、通信履歴データベース８２に登録されている過去に行った通信の通信履歴を、各通信の通信相手の代表者と共にリスト形式で、通信履歴リストウインドウにリスト４０１として表示し（ａ）、通信履歴リストウインドウのリスト４０１上で任意数の通信履歴の選択を受け付ける（ｂ、ｄ）。そして、選択された通信履歴に対応する通信において通信相手であった人の全てを選定し、今回行う通信の通信相手の候補としてユーザに提示する。【選択図】図４
2008053776.tif 000002
【特許請求の範囲】
【請求項１】
複数の通信先を通信相手とする通信を行う通信端末装置であって、
行った各通信の、当該通信の通信相手となった通信先の情報を含む履歴である通信履歴を保持する通信履歴保持手段と、
前記通信履歴保持手段が保持している各通信履歴をユーザに対して提示する履歴提示手段と、
前記履歴提示手段が提示した各通信履歴の内からユーザの複数の通信履歴の選択を受け付ける履歴選択受付手段と、
前記履歴選択受付手段がユーザから選択を受け付けた複数の通信履歴の各々に含まれる前記情報が示す各通信先を、今回行う通信の通信相手または今回行う通信の通信相手の候補として設定する通信相手設定手段とを有することを特徴とする通信端末装置。
【請求項２】
請求項１記載の通信端末装置であって、
前記履歴提示手段は、前記通信履歴保持手段が保持している各通信履歴を、当該通信履歴に含まれる前記情報が示す通信先の内から代表者として選定した一つの通信先の識別情報と共にユーザに対して提示することを特徴とする通信端末装置。
【請求項３】
複数の通信先を通信相手とする通信を行う通信端末装置であって、
行った各通信の、当該通信の通信相手となった通信先の情報を含む履歴である通信履歴を保持する通信履歴保持手段と、
ユーザから通信先の指定を受け付け、前記通信履歴保持手段が保持している通信履歴の内から、ユーザから指定された通信先を表す前記情報を含む通信履歴を選定する履歴選定手段と、
前記履歴選定手段が選定した通信履歴をユーザに対して提示する履歴提示手段と、
前記履歴提示手段が提示した各通信履歴の内からユーザの複数の通信履歴の選択を受け付ける履歴選択受付手段と、
前記履歴選択受付手段がユーザから選択を受け付けた複数の通信履歴の各々に含まれる前記情報が示す各通信先を、今回行う通信の通信相手または今回行う通信の通信相手の候補として設定する通信相手設定手段とを有することを特徴とする通信端末装置。
【請求項４】
請求項３記載の通信端末装置であって、
通信先毎に当該通信先の通信アドレスを登録したアドレス帳データベースと、
前記履歴選定手段は、ユーザから通信アドレスまたは通信アドレスの一部の入力を受けつけ、前記アドレス帳データベースから検索した、ユーザから入力された通信アドレスまたは通信アドレスの一部にマッチする通信アドレスを有する通信先を、ユーザから指定された通信先として受け付けることを特徴とする通信端末装置。
【請求項５】
請求項１、２、３または４記載の通信端末装置であって、
前記複数の通信先を通信相手とする通信は、電子メールの同報送信と、PoC (Push-to-Talk over Cellular)通信との少なくとも一方を含むことを特徴とする通信端末装置。
【請求項６】
複数の通信先を通信相手とする通信を行う通信端末装置において、ユーザの今回行う通信の通信相手の設定を支援する通信相手設定支援方法であって、
通信端末装置において、行った各通信の、当該通信の通信相手となった通信先の情報を含む履歴である通信履歴を保持するステップと、
通信端末装置において、保持している各通信履歴をユーザに対して提示するステップと、
通信端末装置において、提示した各通信履歴の内からユーザの複数の通信履歴の選択を受け付けるステップと、
通信端末装置において、ユーザから選択を受け付けた複数の通信履歴の各々に含まれる前記情報が示す各通信先を、今回行う通信の通信相手または今回行う通信の通信相手の候補として設定するステップとを有することを特徴とする通信相手設定支援方法。
【請求項７】
複数の通信先を通信相手とする通信を行う通信端末装置において、ユーザの今回行う通信の通信相手の設定を支援する通信相手設定支援方法であって、
通信端末装置において、行った各通信の、当該通信の通信相手となった通信先の情報を含む履歴である通信履歴を保持するステップと、
通信端末装置において、ユーザから通信先の指定を受け付け、保持している通信履歴の内から、ユーザから指定された通信先を表す前記情報を含む通信履歴を選定するステップと、
通信端末装置において、選定した各通信履歴をユーザに対して提示するステップと、
通信端末装置において、提示した各通信履歴の内からユーザの複数の通信履歴の選択を受け付けるステップと、
通信端末装置において、ユーザから選択を受け付けた複数の通信履歴の各々に含まれる前記情報が示す各通信先を、今回行う通信の通信相手または今回行う通信の通信相手の候補として設定するステップとを有することを特徴とする通信相手設定支援方法。
【発明の詳細な説明】
【技術分野】
【０００１】
本発明は、通信端末装置において、ユーザの通信相手の設定操作を支援する技術に関するものである。
【背景技術】
【０００２】
通信端末装置において、ユーザの通信相手の設定操作を支援する技術としては、複数の通信相手に電子メールの同報送信を行ったとき、送信の対象とした複数の通信相手を自動的にグループ化して登録し、以降、当該グループを利用した電子メールの同報送信先の指定等を可能とする技術が知られている。
【特許文献１】特開2002-140261号公報
【発明の開示】
【発明が解決しようとする課題】
【０００３】
前記特許文献１記載の技術によれば、過去に同報送信を行った通信相手のグループと全く同じグループに対して再度電子メールの送信を行う場合には、登録されたグループを指定するだけで送信先の選択を完了することができる。しかしながら、ユーザの通信の目的は様々であり、その目的に応じて、通信を行おうとする通信相手の組み合わせは様々である。そして、たとえば、過去に通信を行った通信相手のグループと、これとは別の通信を過去に行った通信相手のグループの双方に対してユーザが新たな通信を行おうとする場合などには、前記特許文献１記載の技術ではユーザの通信相手の設定操作を充分に簡易化することができない。
【０００４】
そこで、本発明は、多様な組み合わせによる複数の通信相手の設定を、ユーザが簡易に行えるよう支援することを課題とする。
【課題を解決するための手段】
【０００５】
前記課題達成のために、本発明は、複数の通信先を通信相手とする通信を行う通信端末装置に、行った各通信の、当該通信の通信相手となった通信先の情報を含む履歴である通信履歴を保持する通信履歴保持手段と、前記通信履歴保持手段が保持している各通信履歴をユーザに対して提示する履歴提示手段と、前記履歴提示手段が提示した各通信履歴の内からユーザの複数の通信履歴の選択を受け付ける履歴選択受付手段と、前記履歴選択受付手段がユーザから選択を受け付けた複数の通信履歴の各々に含まれる前記情報が示す各通信先を、今回行う通信の通信相手または今回行う通信の通信相手の候補として設定する通信相手設定手段とを備えたものである。
【０００６】
このような通信端末装置によれば、ユーザは、提示される通信履歴を複数選択するだけで、過去に行ったある通信において通信相手とした通信先のグループと、これとは別に過去に行った通信において通信相手とした通信先のグループとの双方を、今回行う通信の通信相手のグループまたは通信相手の候補のグループとして選定することができる。よって、ユーザは、過去に行った通信において通信相手とした通信先の多様な組み合わせを、今回行う通信の通信相手のグループとして容易に設定することができるようになる。
【０００７】
ここで、このような通信端末装置は、前記履歴提示手段において、前記通信履歴保持手段が保持している各通信履歴を、当該通信履歴に含まれる前記情報が示す通信先の内から代表者として選定した一つの通信先の識別情報と共にユーザに対して提示するように構成してもよい。
【０００８】
このようにすることにより、ユーザは、その通信の通信相手の代表者を参照することにより、より容易に所要の通信履歴を探し出して選択することができるようになる。
また、前記課題達成のために、本発明は、複数の通信先を通信相手とする通信を行う通信端末装置に、行った各通信の、当該通信の通信相手となった通信先の情報を含む履歴である通信履歴を保持する通信履歴保持手段と、ユーザから通信先の指定を受け付け、前記通信履歴保持手段が保持している通信履歴の内から、ユーザから指定された通信先を表す前記情報を含む通信履歴を選定する履歴選定手段と、前記履歴選定手段が選定した通信履歴をユーザに対して提示する履歴提示手段と、前記履歴提示手段が提示した各通信履歴の内からユーザの複数の通信履歴の選択を受け付ける履歴選択受付手段と、前記履歴選択受付手段がユーザから選択を受け付けた複数の通信履歴の各々に含まれる前記情報が示す各通信先を、今回行う通信の通信相手または今回行う通信の通信相手の候補として設定する通信相手設定手段とを設けたものである。
【０００９】
このような通信端末装置によれば、ユーザは過去に行った通信で通信相手とした通信先を指定すると共に、当該指定に応じて提示される通信履歴を複数選択するだけで、指定した通信先を通信相手に含めて過去に行ったある通信において通信相手とした通信先のグループと、これとは別に指定した通信先を通信相手に含めて過去に行った通信において通信相手とした通信先のグループとの双方を、今回行う通信の通信相手のグループまたは通信相手の候補のグループとして選定することができる。よって、ユーザは、特定の通信先と過去に通信したときに併せて通信相手とした通信先の多様な組み合わせを、今回行う通信の通信相手として容易に設定することができるようになる。
【００１０】
ここで、このような通信端末装置は、さらに、通信先毎に当該通信先の通信アドレスを登録したアドレス帳データベースを備え、前記履歴選定手段において、ユーザから通信アドレスまたは通信アドレスの一部の入力を受けつけ、前記アドレス帳データベースから検索した、ユーザから入力された通信アドレスまたは通信アドレスの一部にマッチする通信アドレスを有する通信先を、ユーザから指定された通信先として受け付けるようにすることも、ユーザの通信先の指定を簡易化する上で好ましい。
【００１１】
なお、以上の各通信端末装置において行う複数の通信先を通信相手とする通信は、電子メールの同報送信と、PoC (Push-to-Talk over Cellular)通信との少なくとも一方を含むものであってよい。
【発明の効果】
【００１２】
以上のように、本発明によれば、多様な組み合わせによる複数の通信相手の設定を、ユーザが簡易に行えるようになる。
【発明を実施するための最良の形態】
【００１３】
以下、本発明の実施形態について説明する。
図１に、本実施形態に係る通信端末装置の構成を示す。
図示するように、通信端末装置１０は、表示装置１、入力装置２、データ通信部３、制御部４、オーディオ処理部５、スピーカ６、マイクロフォン７、記憶装置８とを有している。
このような構成において、データ通信部３は、たとえば移動電話網などの公衆通信網２０に接続し、公衆通信網２０との間でデータ通信を行う。
そして、制御部４は、データ通信部３が行うデータ通信を用いた、電話通信、電子メール通信、PoC (Push-to-Talk over Cellular)通信の三つの通信を制御する。
ここで、電話通信では、入力装置２を用いたユーザの電話発呼操作や、公衆通信網２０からの電話着呼時のユーザの入力装置２に対するオフフック操作に応じて、制御部４は、データ通信部３を介して、所定の呼接続手順を公衆通信網２０の電話サービス提供部との間で実行し、通信相手との間の呼を確立する。そして、通信相手との間の呼を確立したならば、制御部４は、各部を制御し、公衆通信網２０を介して通信相手からデータ通信部３で受信した音声データを、オーディオ処理部５でアナログ音声に復号しスピーカ６に出力すると共に、マイクロフォン７から入力した音声を、オーディオ処理部５で音声データに符号化し、データ通信部３から公衆通信網２０を介して通信相手に送信する。
【００１４】
また、電子メール通信では、制御部４は、各部を制御し、データ通信部３を介して公衆通信網２０の電子メールサービス提供部（電子メールサーバ等）にアクセスして、ユーザが作成した電子メールを送信したり、ユーザ宛に到着した電子メールを受信する。
また、PoC通信では、入力装置２を用いたPoC通信の発呼操作や、公衆通信網２０からのPoC通信の着呼時のユーザの入力装置２に対するオフフック操作に応じて、制御部４は、データ通信部３を介して、公衆通信網２０のPoC通信サービス提供部（PoCサーバまたはSIPサーバ等）との間で所定の呼接続手順を実行し、PoC通信に参加している各通信相手との間のセッションを確立する。そして、各通信相手との間のセッションが確立したならば、各部を制御して、当該PoC通信における発言権を公衆通信網２０から取得している期間中、マイクロフォン７から入力した音声を、オーディオ処理部５で音声データに符号化し、データ通信部３から公衆通信網２０を介して、PoC通信に参加している各通信相手に同報送信する。また、発言権を取得していない期間には、各部を制御して、公衆通信網２０を介して、その時点で発言権を取得している通信相手からデータ通信部３で受信した音声データを、オーディオ処理部５でアナログ音声に復号しスピーカ６に出力する。また、制御部４は、入力装置２に対するユーザ操作に応じて、データ通信部３を介して、公衆通信網２０のPoC通信提供部との間で所定の手順を実行し、PoC通信における発言権を取得したり解放する処理なども行う。
【００１５】
さて、次に、記憶装置８には、アドレス帳データベース８１と、通信履歴データベース８２とが記憶される。
アドレス帳データベース８１は、図２ａに示すように、ユーザが登録した通信先毎に対応して予め設けられたアドレスレコードの集合である。そして、各アドレスレコードには、対応する通信先の名前、メールアドレス、電話番号、顔写真を表す画像データである写真などが登録される。
【００１６】
一方、通信履歴データベース８２は、図２ｂに示すように、通信端末装置１０において過去に行われた通信毎に対応して設けられる通信履歴レコードの集合である。そして、各通信履歴レコードには、対応する通信を行った日時と、当該通信の種類を表す通信種別、当該通信における通信相手の代表者、当該通信における通信相手の人数を表す通信人数、個別通信履歴情報とが登録される。
【００１７】
ここで、通信種別としては、通信端末装置１０の発呼により開始された電話通信を表す電話発信、通信端末装置１０への着呼により開始された電話通信を表す電話着信、電子メールの送信を表すメール送信、電子メールの受信を表すメール受信、通信端末装置１０の発呼により開始されたPoC通信を表すPoC発信、通信端末装置１０への着呼により開始されたPoC通信を表すPoC着信を用いる。また、代表者としては、通信種別が、電話送信または電話着信の場合には、電話通信を行った通信相手の名前（通信相手の電話番号が登録されているアドレスレコードに登録されている名前）を用いる。また、代表者としては、通信種別がPoC発信の場合にはPoC通信の通信相手として先頭に指定した通信相手の名前（通信相手の電話番号が登録されているアドレスレコードに登録されている名前）を用い、通信種別がPoC着信の場合には、そのPoC通信の発呼を行った通信相手の名前（通信相手の電話番号が登録されているアドレスレコードに登録されている名前）を用いる。また、代表者としては、通信種別がメール送信の場合には、電子メールの宛先（to)として先頭で指定された通信相手の名前（通信相手のメールアドレスが登録されているアドレスレコードに登録されている名前）、通信種別がメール着信の場合には、電子メールの発信元の通信相手の名前（通信相手のメールアドレスが登録されているアドレスレコードに登録されている名前）を用いる。
【００１８】
次に、個別通信履歴情報には、対応する通信における通信相手毎に、名前と通信相手種別と通信結果と相手アドレスとよりなる個別情報が登録される。ここで、名前には、その通信相手の名前（当該通信で用いられた通信相手の電話番号またはメールアドレスが登録されているアドレスレコードに登録されている名前）を登録する。また、通信相手種別には、その通信の通信種別がメール送信かメール受信である場合に、その通信相手が電子メールのto、cc、bcc、fromのいずで指定された通信相手あるかを登録する。また、通信結果には、通信種別が、PoC発信やPoC受信である場合などに、その通信相手との接続が成功したかどうかを登録する。また、相手アドレスには、当該通信で用いられた通信相手の電話番号またはメールアドレスが登録される。
【００１９】
さて、このような通信端末装置１０において、制御部４は、ユーザの通信相手の選択操作を支援するために、図３に示す通信相手選定処理を行う。
なお、この通信相手選定処理は、入力装置２に対してユーザから所定の通信相手選定処理起動操作が行われたときに制御部４によって開始される。
さて、図３に示すように、この通信相手選定処理では、まず、通信履歴リストウインドウを表示装置１に表示する（ステップ３０２）。ここで、この通信履歴リストウインドウには、図４ａに示すように、通信履歴データベース８２の通信履歴レコードに登録されている日時と通信種別と代表者と通信人数を通信履歴として、各通信履歴レコードの通信履歴をリスト形式で表したリスト４０１と、リストをスクロールするための前/後ボタン４０２と、選択ボタン４０３と、決定ボタン４０４と、終了ボタン４０５と、選択済人数の表示４０６とが含まれる。
【００２０】
ここで、通信履歴リストウインドウにおいて、ユーザは、入力装置２の操作によって、図４ｂに示すように、リスト４０１上に表示されている任意の通信履歴の、日時と通信種別の表示部分を選択することができる。
なお、制御部４は、通信相手選定処理で、リスト４０１上に表示されている特定の通信履歴の日時と通信種別の表示部分が選択状態である期間が所定期間以上となったならば、図４ｃに示すように、日時と通信種別の表示部分が選択されている通信履歴に対応する通信履歴レコードに登録されている各個別情報に記述されている名前（当該通信履歴レコードに対応する通信おける全ての通信相手の名前）をポップアップ表示４０７するようにしてもよい。
【００２１】
また、通信履歴リストウインドウにおいて、ユーザは、入力装置２の操作によって、図５ａに示すようにリスト４０１上に表示されている任意の通信履歴の代表者及び通信人数の表示部分を選択することもできる。
図３に戻り、このような通信履歴リストウインドウを表示したならば（ステップ３０２）、ユーザの決定操作の発生（ステップ３０４）、代表者選択受付の発生（ステップ３０６）、通信履歴選択受付の発生（ステップ３０８）とを監視する。ここで、ユーザの決定操作は、決定ボタン４０４の操作に応じて受け付ける。また、代表者選択は、図５ａに示すように、リスト４０１上に表示されている任意の通信履歴の代表者及び通信人数の表示部分をユーザが選択している状態において、選択ボタン４０３の操作が行われたときに、代表者及び通信人数の表示部分が選択されている通信履歴の代表者を選定された代表者として受け付けることにより行う。また、通信履歴選択は、図４ｄに示すように、リスト４０１上に表示されている任意の通信履歴の日時と通信種別の表示部分をユーザが選択している状態において、選択ボタン４０３の操作が行われたときに、日時と通信種別の表示部分が選択されている通信履歴を選択された通信履歴として受け付けることにより行う。
【００２２】
そして、通信履歴リストウインドウを表示しているときに、通信履歴選択受付が発生した場合には（ステップ３０８）、選択された通信履歴に対応する通信履歴レコードを参照通信履歴レコードに設定し（ステップ３１０）、ステップ３０２からの処理に戻り、通信履歴リストウインドウを再表示する。ここで、通信履歴リストウインドウを表示する際に、参照通信履歴レコードに設定されている通信履歴レコードが存在する場合には、参照通信履歴レコードに設定されている通信履歴レコードに対応する通信履歴を図４ｅのリスト４０１の２行目の通信履歴や、図４ｆのリストの２行目と４行目の通信履歴のように網掛表示するようにする。また、参照通信履歴レコードに設定されている通信履歴レコードが存在する場合には、選択済人数の表示４０６には、参照通信履歴レコードに設定されている通信履歴レコードの個別情報に登録されている名前の、通信端末装置１０のユーザである名前を除外して求めた固有値数を表示する。
【００２３】
次に、通信履歴リストウインドウを表示しているときに、図４ｆに示すように、決定ボタン４０４が操作され、ユーザの決定操作が発生した場合（ステップ３０４）には、ステップ３１２からの処理に進む。
そして、通信履歴リストウインドウを表示しているときに、図５ａに示すように、リスト４０１上に表示されているいずれかの通信履歴の代表者及び通信人数の表示部分をユーザが選択している状態において、選択ボタン４０３の操作が行われ、代表者選択受付が発生した場合には（ステップ３０６）、通信種別選択ウインドウを表示装置１に表示する（ステップ３２６）。ここで、通信種別選択ウインドウには、図５ｂに示すように、選択を受け付けた代表者を、いずれかの個別情報の名前として含む（選択を受け付けた代表者が通信相手に含まれる）、通信種別が電話発信か電話受信かPoC発信かPoC受信である通信履歴レコードの数を通話履歴数５０１として表示すると共に、選択を受け付けた代表者を、いずれかの個別情報の名前として含む（選択を受け付けた代表者が通信相手に含まれる）、通信種別がメール送信か電話メール受信である通信履歴レコードの数をメール履歴数５０２として表示する。また、通信種別選択ウインドウには、通話履歴表示ボタン５０３と、メール履歴表示ボタン５０４と、戻るボタン５０５と、選択済人数の表示５０６を含める。ここで、選択済人数の表示５０６には、参照通信履歴レコードに設定されている通信履歴レコードの個別情報に登録されている名前の、通信端末装置１０のユーザである名前を除外して求めた固有値数を表示する。
【００２４】
さて、図３に戻り、通信種別選択ウインドウを表示したならば（ステップ３２６）、戻るボタン５０５の操作による戻る操作の受付（ステップ３２８）と、通話履歴表示ボタン５０３またはメール履歴表示ボタン５０４の操作による通信種別選択受付（ステップ３３０）の発生を監視する。
【００２５】
そして、戻る操作を受け付けた場合には、ステップ３０２に戻って通信履歴リストウインドウを再表示する。
一方、通信種別選択の受付が発生した場合には（ステップ３３０）、発生した通信種別選択の受付が通話履歴表示ボタン５０３の操作によるものである場合には選択通信種別を通話とし、発生した通信種別選択の受付がメール履歴表示ボタン５０４の操作によるものである場合には選択通信種別をメールとして、選択された代表者が、いずれかの個別情報の名前として登録されている（選択を受け付けた代表者が通信相手に含まれる）、通信種別が選択通信種別に対応する通信種別である通信履歴レコードを抽出する（ステップ３３２）。すなわち、ステップ３３２では、選択通信種別が通話である場合には、選択された代表者が、いずれかの個別情報の名前として登録されている、通信種別が電話発信か電話受信かPoC発信かPoC受信である通信履歴レコードを抽出し、選択通信種別が通話である場合には、選択された代表者が、いずれかの個別情報の名前として登録されている、通信種別がメール発信かメール受信である通信履歴レコードを抽出する。
【００２６】
そして、次にステップ３３２で抽出した通信履歴レコードを対象とする代表者別通信履歴リストウインドウを表示装置１に表示する（ステップ３３４）。
ここで、代表者別通信履歴リストウインドウは、図５ｃ、図５ｄに示すように、図４ａに示した通信履歴リストウインドウと類似の構成を有しており、図４ａに示した通信履歴リストウインドウの終了ボタンの代わりに戻るボタン５０７が設けられている点と、リスト４０１には、ステップ３３２で抽出された各通信履歴レコードについてのみ、通信履歴を表す点が異なる。
【００２７】
ここで、代表者別通信履歴リストウインドウを表示する際に、参照通信履歴レコードに設定されている通信履歴レコードが存在する場合には、リスト４０１上で、参照通信履歴レコードに設定されている通信履歴レコードに対応する通信履歴を網掛表示するようにする。また、参照通信履歴レコードに設定されている通信履歴レコードが存在する場合には、選択済人数の表示４０６には、参照通信履歴レコードに設定されている通信履歴レコードの個別情報に登録されている名前の、通信端末装置１０のユーザである名前を除外して求めた固有値数を表示する。
【００２８】
なお、図５ｃは選択種別が通話である場合についての代表者別通信履歴リストウインドウを表し、図５ｄは選択種別がメールである場合についての代表者別通信履歴リストウインドウを表している。
また、このような代表者別通信履歴リストウインドウにおいて、ユーザは、入力装置２の操作によって、図５ｃ、ｄに示すように、リスト４０１上に表示されている任意の通信履歴の、日時と通信種別の表示部分を選択することができる。ただし、代表者別通信履歴リストウインドウでは、通信履歴リストウインドウとは異なり、リスト４０１上での代表者及び通信人数の表示部分の選択は受け付けない。なお、代表者別通信履歴リストウインドウにおいても、リスト４０１上に表示されている特定の通信履歴の日時と通信種別の表示部分が選択状態である期間が所定期間以上となったならば、図５ｅに示すように、日時と通信種別の表示部分が選択されている通信履歴に対応する通信履歴レコードに登録されている各個別情報に記述されている名前（当該通信履歴レコードに対応する通信おける全ての通信相手の名前）をポップアップ表示４０７するようにしてもよい。
【００２９】
さて、図３に戻り、代表者別通信履歴リストウインドウを表示したならば、戻るボタン５０７による戻る操作の発生（ステップ３３６）と、決定ボタン４０４による決定操作の発生（ステップ３３８）と、選択ボタン４０３による通信履歴選択受付の発生（ステップ３４０）を監視する。
【００３０】
そして、戻る操作が発生したならば（ステップ３３６）、ステップ３２６に戻って通信種別選択ウインドウを再表示し、決定操作が発生したならば（ステップ３３８）、ステップ３１２に進む。一方、図５ｅや図５ｆに示すように、選択ボタン４０３の操作による通信履歴選択受付が発生したならば、選択ボタン４０３の操作が行われたときに、日時と通信種別の表示部分が選択されている通信履歴に対応する通信履歴レコードを参照通信履歴レコードに設定し（ステップ３４２）、ステップ３３４に戻って代表者別通信履歴リストウインドウを再表示する。
【００３１】
さて、以上のような処理において、通信履歴リストウインドウや代表者別通信履歴リストウインドウの決定ボタン４０３の操作による決定操作が発生してステップ３１２に進んだならば、まず、参照通信履歴レコードに登録された参照通信履歴レコードに設定されている各通信履歴レコードの個別情報に登録されている名前の固有値の全て（各通信履歴レコードに対応する通信のいずれかで通信相手であった通信先の名前の全て）を通信対象相手に設定し、通信対象相手リストウインドウを表示する（ステップ３１２）。ただし、通信端末装置１０のユーザである名前は通信対象相手には設定しない。
【００３２】
ここで、通信対象相手リストウインドウでは、図６ａに示すように、通信対象相手に設定した名前をリスト形式で表示したリスト６０１と、メール作成ボタン６０２と、PoC発信ボタン６０３と、選択解除ボタン６０４と、追加ボタン６０５と、終了ボタン６０６とを表示する。
【００３３】
さて、図３に戻り、通信対象相手リストウインドウを表示したならば（ステップ３１２）、ユーザの選択解除ボタン６０４もしくは追加ボタン６０５の操作による通信対象相手編集の受付（ステップ３１４）と、ユーザのPoC発信ボタン６０３の操作によるPoC発信操作の受付（ステップ３１８）と、ユーザのメール作成ボタン６０２の操作によるメール作成操作の受付（ステップ３２２）の発生を監視する。
【００３４】
そして、通信対象相手編集の受付が発生したならば（ステップ３１４）、ユーザ操作に応じて通信対象相手を編集する。すなわち、リスト６０１でいずれかの名前がユーザによって選択された状態にあるときに、選択解除ボタン６０４がユーザによって操作されたならば、選択された状態にある名前を通信対象相手から除外し、除外した名前をリスト６０１から消去する。また、追加ボタン６０５が操作されたならば、アドレス帳データベース８１の各アドレスレコードに表示されている名前のリストを表示し、表示したリスト上で選択された名前を、通信対象相手に追加し、追加した名前をリスト６０１に追加表示する。
【００３５】
一方、PoC発信操作の受付が発生した場合には（ステップ３１８）、通信対象相手として設定されている名前が登録されているアドレスレコードから、当該名前の通信先の電話番号を取得し、制御部４のPoC通信機能部を起動し、取得した電話番号を指定したPoC通信の開始を指示し（ステップ３２０）、通信相手選定処理を終了する。ここで、PoC通信の開始を指示されたPoC通信機能部は、データ通信部３を介して、指定された各電話番号をPoC通信を行う通信相手の電話番号として公衆通信網２０のPoC通信サービス提供部に発呼しPoC通信を開始する。
【００３６】
なお、ステップ３１８において、PoC発信操作の受付が発生した場合に、通信対象相手として設定されている名前の内に、当該名前が登録されているアドレスレコードに当該名前の通信先の電話番号が記述されていない名前が存在する場合には、図６ｂに示すように電話番号が登録されていない通信対象相手が存在する旨を表示装置１に表示して、ユーザにPoC発信の継続を問い合わせた上で、ステップ３２０のPoC通信の開始の指示を行うようにしてもよい。なお、図６ｂでは、通信対象相手の名前のリスト６０１上で、網掛表示によって電話番号が登録されていない通信相手の名前を表している。また、継続ボタン６０７が操作された場合に、ステップ３２０のPoC通信の開始の指示を行い、終了ボタン６０８が操作された場合には、図６ａの通信対象相手リストウインドウの表示に戻るようにしている。
【００３７】
次に、メール作成操作の受付が発生した場合には（ステップ３２２）、通信対象相手として設定されている名前が登録されているアドレスレコードから、当該名前の人のメールアドレスを取得し、制御部４のメーラ機能部を起動し、取得したメールアドレスを指定した新規電子メールの作成を指示し（ステップ３２４）、通信相手選定処理を終了する。新規電子メールの作成の指示を受けたメーラ機能部は、指定されたメールアドレスを宛先として自動入力した電子メール作成画面を表示し、ユーザから電子メールの作成操作を受け付け、電子メール送信指示がユーザから入力されたならば、データ通信部３を介して、公衆通信網２０の電子メールサービス提供部に、作成した電子メールを送信する。
【００３８】
ここで、ステップ３２２において、メール作成操作の受付が発生した場合に、通信対象相手として設定されている名前の内に、当該名前が登録されているアドレスレコードに当該名前の通信先のメールアドレスが記述されていない名前が存在する場合にも、メールアドレスが登録されていない通信対象相手が存在する旨を表示装置１に表示して、ユーザにメール作成の継続を問い合わせた上で、ステップ３２４のメール作成の指示を行うようにしてもよい。
【００３９】
また、ステップ３２２において、メール作成操作の受付が発生した場合に、まず、図６ｃに示すような宛先種別設定ウインドウを表示し、各通信対象相手を、to、cc、bccのいずれのタイプの宛先にするかの指定を受付けた上で、メールアドレスと共に、そのメールアドレスの通信先の名前に対して指定を受け付けた宛先のタイプを当該メールアドレスの宛先のタイプとして指定した新規電子メールの作成をメーラ機能部に指示するようにしてもよい。ここで、図６ｃでは、通信対象相手として設定されている名前のリスト６０９上の各名前に対してプルダウンメニュー６１０によって、to、cc、bccの宛先のタイプの指定を受け付ける。また、作成ボタン６１１の操作を受け付けたならば、上記のように新規電子メールの作成をメーラ機能部に指示する処理を行う。
【００４０】
また、このようにメールアドレスと共に宛先のタイプを指定された場合、メーラ機能部は、たとえば、図６ｄに示すような、指定されたメールアドレスを、そのメールアドレスについて指定されたタイプの宛先として自動入力した電子メール作成画面を表示し、ユーザから電子メールの作成操作を受け付ける。
【００４１】
以上、通信相手選定処理について説明した。
なお、通信履歴リストウインドウを表示しているときにユーザによって終了ボタン４０５が操作された場合と、通信対象相手リストウインドウを表示しているときにユーザによって終了ボタン６０６が操作された場合には、そのまま通信相手選定処理は終了するようにする。
ところで、以上の通信相手選定処理では、通信履歴リストウインドウを用いてステップ３０６において代表者選択を受け付けるようにしたが、代表者選択の受付は次のように行うようにしてもよい。
すなわち、通信履歴リストウインドウから呼び出すことのできる、図７ａに示すような検索ウインドウを設ける。そして、この検索ウインドウで、ソフトキー７０１で入力ボックス７０２への電話番号の入力を受け付け、検索ボタン７０３が操作されたならば、前方一致検索により、入力ボックスに入力されている電話番号と前方一致する電話番号が登録されているアドレスレコードをアドレス帳データベース８１より検索し、検索したアドレスレコードに登録されている名前を抽出する
そして、図７ｂに示すような名前選択受付ウインドウを表示し、リスト７０５に、検索した各アドレスレコードに登録されている名前をリスト表示する。そして、リスト上で名前の選択を受け付け、選択された名前に対応するアドレスレコードに登録されている写真を写真エリア７０６に表示すると共に、選択ボタン７０７が操作されたならば、その時点で選択されている名前を選択された代表者として受け付け、通信相手選定処理のステップ３２６に進んで以上の処理を行うようにする。
【００４２】
なお、図７ａの検索ウインドウの終了ボタン７０４が操作された場合には、通信相手選定処理のステップ３０２に戻って通信履歴リストウインドウの表示に戻るようにする。また、図７ｂの名前選択受付ウインドウの戻るボタン７０８が操作された場合には、図７ａの検索ウインドウの表示に戻るようにする。
【００４３】
以上、本発明の実施形態について説明した。
以上のように本実施形態によれば、ユーザは通信履歴リストウインドウに表示される通信履歴の内から、所望の通信履歴を、通信種別や日時や代表者を目安にして任意数選択するだけで、選択した通信履歴に対応する過去の通信の各々における通信相手の全員を、今回行おうとする通信相手や通信相手の候補として選定することができるようになる。また、ユーザは、このような通信履歴の選択を、通信履歴を、特定の通信先を通信相手として行った通信の通信履歴に絞り込んだ上で行うこともできる。
【図面の簡単な説明】
【００４４】
【図１】本発明の実施形態に係る通信端末装置の構成を示すブロック図である。
【図２】本発明の実施形態に係る通信端末装置が備えるアドレス帳データベースと通信履歴データベースの内容を示す図である。
【図３】本発明の実施形態に係る通信相手選定処理を示すフローチャートである。
【図４】本発明の実施形態に係る通信端末装置の表示画面例を示す図である。
【図５】本発明の実施形態に係る通信端末装置の表示画面例を示す図である。
【図６】本発明の実施形態に係る通信端末装置の表示画面例を示す図である。
【図７】本発明の実施形態に係る通信端末装置の表示画面例を示す図である。
【符号の説明】
【００４５】
１…表示装置、２…入力装置、３…データ通信部、４…制御部、５…オーディオ処理部、６…スピーカ、７…マイクロフォン、８…記憶装置、１０…通信端末装置、２０…公衆通信網、８１…アドレス帳データベース、８２…通信履歴データベース。
【図１】
2008053776.tif 000003
【図２】
2008053776.tif 000004
【図３】
2008053776.tif 000005
【図４】
2008053776.tif 000006
【図５】
2008053776.tif 000007
【図６】
2008053776.tif 000008
【図７】
2008053776.tif 000009